(57)【要約】【課題】隠蔽情報表示部を具備する被着体に貼着された後に剥離された場合に剥離を検知可能とする構成において、煩雑な作業を伴うことなく、様々な被着体に対して、貼着後に剥離された場合に、隠蔽情報表示部に表示された情報が見難くなってしまうことを回避することができる構成を実現する。【解決手段】隠蔽情報表示部を具備する被着体に貼着された後に剥離された場合に潜像パターンを発現させることで当該剥離を検知する隠蔽シール１であって、ベース基材１０の一方の面に潜像パターンの形状に積層された剥離層２０ａと、ベース基材１０の剥離層１０ａが積層された面の全面に剥離層２０ａを覆って積層された有色の粘着層３０とを有し、粘着層３０は、ベース基材１０とは反対側の面のうち、隠蔽シール１が被着体に貼着された場合に隠蔽情報表示部に対向する領域に剥離層２０ｂが塗工されている。【選択図】図１
2019184966.tif 000002
【特許請求の範囲】
【請求項１】
隠蔽情報表示部を具備する被着体に貼着された後に剥離された場合に潜像パターンを発現させることで当該剥離を検知する隠蔽シールであって、
ベース基材と、
前記ベース基材の一方の面に前記潜像パターンの形状に積層された第１の剥離層と、
前記ベース基材の前記第１の剥離層が積層された面の全面に前記第１の剥離層を覆って積層された有色貼着層とを有し、
前記有色貼着層は、前記ベース基材とは反対側の面のうち、当該隠蔽シールが前記被着体に貼着された場合に前記隠蔽情報表示部に対向する領域に第２の剥離層が塗工されている、隠蔽シール。
【請求項２】
請求項１に記載の隠蔽シールにおいて、
前記第２の剥離層は、カーボンを含有する材料から構成されている、隠蔽シール。
【請求項３】
請求項１に記載の隠蔽シールにおいて、
前記第２の剥離層は、カーボンを含有しない材料から構成されている、隠蔽シール。
【請求項４】
請求項１乃至３のいずれか１項に記載の隠蔽シールにおいて、
前記ベース基材は、当該隠蔽シールが前記被着体に貼着された場合に前記隠蔽情報表示部に対向する領域に隠蔽性向上層が積層されている、隠蔽シール。
【発明の詳細な説明】
【技術分野】
【０００１】
本発明は、隠蔽情報表示部を具備する被着体に貼着されることで、隠蔽情報表示部に表示された情報を隠蔽する隠蔽シールに関し、特に、被着体に貼着された後に剥離された場合に剥離を検知する機能を有する隠蔽シールに関する。
【背景技術】
【０００２】
従来、暗証番号やパスワード等の隠蔽情報を隠蔽するための隠蔽シールが利用されている。このような隠蔽シールは、隠蔽情報が表示された被着体に対して隠蔽情報を覆うように貼着されることで、隠蔽情報を外部から視認不可能に隠蔽する。
【０００３】
近年、このような隠蔽シールにおいて、被着体から剥離された場合にその痕跡を残すことで、被着体からの不正な剥離を検知する技術が考えられている。例えば、特許文献１には、剥離シートと、剥離シートを被着体に接着させる接着層と、接着層と剥離シートとの間に形成された着色層と、着色層と剥離シートとの間の一部に形成された防止膜と、接着層の着色層とは反対側の面の一部に貼付された規制フィルムと、規制フィルム上に形成された透視防止層とを備えた隠蔽シールが開示されている。
【０００４】
特許文献１に開示された隠蔽シールにおいては、被着体に貼着された後に剥離された場合、着色層のうち防止層に対向していない領域が剥離シートとともに被着体から剥離される一方、着色層のうち防止層に対向した領域が接着層とともに被着体に貼着されたままとなることで、防止層の形状に応じたパターンが発現し、不正な剥離を検知することができる。さらに、接着層の着色層とは反対側の面の一部に規制フィルムが貼付されていることで、規制フィルムが貼付された領域においては、防止膜の有無によらずに着色層が剥離シートとともに被着体から剥離されることになり、それにより、隠蔽シールが被着体から剥離された場合に、被着体の所定の領域に表示された情報が見難くなってしまうことが回避されることになる。
【先行技術文献】
【特許文献】
【０００５】
【特許文献１】特許第６１９８９８０号公報
【発明の概要】
【発明が解決しようとする課題】
【０００６】
上述したように、特許文献１に開示されたものは、隠蔽シールが被着体から剥離された場合に、不正な剥離を検知可能としながらも被着体の所定の領域に表示された情報が見難くなってしまうことを回避するために、接着層の着色層とは反対側の面の一部に規制フィルムを貼付した構成となっている。そのため、隠蔽シールが貼着される領域のうち一部の領域のみについて、隠蔽シールが被着体から剥離された場合に表示された情報が見難くなってしまうことを回避するためには、規制フィルムをその領域の形状に加工する必要がある。
【０００７】
例えば、特許文献１に開示されているように規制フィルムを接着層によって剥離シートに貼着した後に所定の形状に切断することや、隠蔽シールが被着体から剥離された場合に見難くなってしまうことを回避すべき情報が表示された領域の形状に規制フィルムを加工した後に規制フィルムを接着層によって剥離シートに貼着すること等が考えられる。
【０００８】
しかしながら、上述したような隠蔽シールは多くの用途に利用されているため、隠蔽シールが被着体から剥離された場合に見難くなってしまうことを回避すべき情報が表示された領域の形状は様々であり、規制フィルムをそのような様々な形状に加工することは非常に煩雑な作業を伴ってしまうという問題点がある。
【０００９】
本発明は、上述したような従来の技術が有する問題点に鑑みてなされたものであって、隠蔽情報表示部を具備する被着体に貼着された後に剥離された場合に剥離を検知可能とする構成において、煩雑な作業を伴うことなく、様々な被着体に対して、貼着後に剥離された場合に、隠蔽情報表示部に表示された情報が見難くなってしまうことを回避することができる構成を実現できる隠蔽シールと提供することを目的とする。
【課題を解決するための手段】
【００１０】
上記目的を達成するために本発明は、
隠蔽情報表示部を具備する被着体に貼着された後に剥離された場合に潜像パターンを発現させることで当該剥離を検知する隠蔽シールであって、
ベース基材と、
前記ベース基材の一方の面に前記潜像パターンの形状に積層された第１の剥離層と、
前記ベース基材の前記第１の剥離層が積層された面の全面に前記第１の剥離層を覆って積層された有色貼着層とを有し、
前記有色貼着層は、前記ベース基材とは反対側の面のうち、当該隠蔽シールが前記被着体に貼着された場合に前記隠蔽情報表示部に対向する領域に第２の剥離層が塗工されている。
【００１１】
上記のように構成された本発明においては、被着体に貼着された後に剥離された場合に、ベース基材の一方の面に積層された第１の剥離層が有色貼着層から剥離することで第１の剥離層による潜像パターンが発現することにより剥離が検知されることになるが、有色貼着層の被着体との貼着面には、隠蔽シールが被着体に貼着された場合に被着体が具備する隠蔽情報表示部に対向する領域に第２の剥離層が塗工されているので、隠蔽シールが被着体に貼着された場合、被着体の隠蔽情報表示部には第２の剥離層によって隠蔽シールがそもそも貼着されていない状態となり、それにより、隠蔽シールが被着体に貼着された後に剥離された場合、隠蔽情報表示部に有色着色層が残ってしまう虞がない。そして、そのような構成が、有色貼着層の被着体との貼着面に塗工された第２の剥離層によって実現されているため、隠蔽情報表示部の形状にフィルム等を加工する必要がなく、隠蔽シールが被着体に貼着された場合でも被着体に貼着されない領域の形状を自在に設定することができる。
【００１２】
また、第２の剥離層がカーボンを含有する材料から構成されていれば、隠蔽情報表示部にカーボンを含有するインキによって情報が表示されている場合であっても、隠蔽シールが被着体に貼着された状態において隠蔽情報表示部に表示された情報が赤外線を用いて認識されてしまうことがない。
【００１３】
また、第２の剥離層がカーボンを含有しない材料から構成されていれば、隠蔽情報表示部にカーボンを含有するインキによって情報が表示されている場合に、隠蔽シールが被着体に貼着された状態においては、隠蔽情報表示部に表示された情報を赤外線を用いて認識可能とし、隠蔽シールが被着体から剥離された状態においては、隠蔽情報表示部に表示された情報を目視で認識可能とするという運用形態を採用することができる。
【００１４】
また、ベース基材が、隠蔽シールが被着体に貼着された場合に隠蔽情報表示部に対向する領域に隠蔽性向上層が積層されていれば、隠蔽シールが被着体に貼着された状態において、隠蔽情報表示部に表示された情報の隠蔽性が向上する。
【発明の効果】
【００１５】
本発明によれば、隠蔽情報表示部を具備する被着体に貼着された後に剥離された場合に、ベース基材の一方の面に積層された第１の剥離層が有色貼着層から剥離することで第１の剥離層による潜像パターンが発現することにより剥離が検知されるものにおいて、有色貼着層が、ベース基材とは反対側の面のうち、隠蔽シールが被着体に貼着された場合に隠蔽情報表示部に対向する領域に第２の剥離層が塗工されている構成としたため、隠蔽シールが被着体に貼着された場合、被着体の隠蔽情報表示部には第２の剥離層によって隠蔽シールがそもそも貼着されていない状態となり、それにより、煩雑な作業を伴うことなく、様々な被着体に対して、貼着後に剥離された場合に、隠蔽情報表示部に表示された情報が見難くなってしまうことを回避することができる構成を実現できる。
【００１６】
また、第２の剥離層がカーボンを含有する材料から構成されているものにおいては、隠蔽情報表示部にカーボンを含有するインキによって情報が表示されている場合であっても、隠蔽シールが被着体に貼着された状態において隠蔽情報表示部に表示された情報が赤外線を用いて認識されることを回避できる。
【００１７】
また、第２の剥離層がカーボンを含有しない材料から構成されているものにおいては、隠蔽情報表示部にカーボンを含有するインキによって情報が表示されている場合に、隠蔽シールが被着体に貼着された状態では、隠蔽情報表示部に表示された情報を赤外線を用いて認識可能とし、隠蔽シールが被着体から剥離された状態では、隠蔽情報表示部に表示された情報を目視で認識可能とするという運用形態を採用することができる。
【００１８】
また、ベース基材が、隠蔽シールが被着体に貼着された場合に隠蔽情報表示部に対向する領域に隠蔽性向上層が積層されているものにおいては、隠蔽シールが被着体に貼着された状態において、隠蔽情報表示部に表示された情報の隠蔽性を向上させることができる。
【図面の簡単な説明】
【００１９】
【図１】本発明の隠蔽シールの第１の実施の形態を示す図であり、（ａ）は表面図、（ｂ）は（ａ）に示したＡ−Ａ’断面図である。
【図２】図１に示した隠蔽シールの積層面の構成を示す図であり、（ａ）はベース基材の粘着層との積層面の構成を示す図、（ｂ）は粘着層の剥離紙との積層面の構成を示す図である。
【図３】図１に示した隠蔽シールの製造方法を説明するための図である。
【図４】図１に示した隠蔽シールの使用形態の一例を説明するための図である。
【図５】図１に示した隠蔽シールが図４に示したように使用された場合に通知シートから剥離されていく状態を説明するための断面図である。
【図６】図１に示した隠蔽シールが通知シートから剥離された状態を示す表面図である。
【図７】本発明の隠蔽シールの第２の実施の形態を示す図であり、（ａ）は表面図、（ｂ）は（ａ）に示したＡ−Ａ’断面図である。
【図８】図７に示した隠蔽シールが図２に示した通知シートに貼着された後に通知シートから剥離されていく状態を説明するための断面図である。
【発明を実施するための形態】
【００２０】
以下に、本発明の実施の形態について図面を参照して説明する。
【００２１】
（第１の実施の形態）
図１は、本発明の隠蔽シールの第１の実施の形態を示す図であり、（ａ）は表面図、（ｂ）は（ａ）に示したＡ−Ａ’断面図である。図２は、図１に示した隠蔽シール１の積層面の構成を示す図であり、（ａ）はベース基材１０の粘着層３０との積層面の構成を示す図、（ｂ）は粘着層３０の剥離紙４０との積層面の構成を示す図である。
【００２２】
本形態は図１に示すように、ベース基材１０の一方の面に粘着層３０が積層されてなる隠蔽シール１である。
【００２３】
ベース基材１０は、透明または半透明のフィルムからなり、一方の面から他方の面の色が視認可能となるものである。
【００２４】
ベース基材１０の表面には、中心部近傍に地紋が一定の幅をもって帯状に印刷されることで隠蔽性向上層となる地紋印刷層５０が積層されている。ベース基材１０の裏面には、その全面において、隠蔽シール１が被着体に貼着された後に剥離された場合に発現する潜像パターンの形状に透明なシリコン等の剥離剤が塗工されることで第１の剥離層２０ａが部分的に積層されている。そして、ベース基材１０の剥離層２０ａが積層された面の全面に剥離層２０ａを覆って粘着剤が塗工されることで粘着層３０が積層されている。
【００２５】
粘着層３０は、本願発明における有色貼着層となるものであって、青、赤、黒等の任意の色からなり、伸縮性を有するものである。そして、ベース基材１０が透明または半透明のフィルムからなるものであることで、粘着層３０の色がベース基材１０の表面から視認可能となっている。
【００２６】
粘着層３０のベース基材１０との反対側の面、すなわち被着体との貼着面には、地紋印刷層５０に対向して剥離剤が一定の幅をもって帯状に塗工されることで第２の剥離層２０ｂが積層されている。そして、粘着層３０の剥離層２０ｂが積層された面に剥離紙４０が剥離可能に貼着されている。
【００２７】
以下に、上記のように構成された隠蔽シール１の製造方法について説明する。
【００２８】
図３は、図１に示した隠蔽シール１の製造方法を説明するための図である。
【００２９】
図１に示した隠蔽シール１を製造する場合は、まず、ベース基材１０の一方の面に、隠蔽シール１が被着体に貼着された後に剥離された場合に発現する潜像パターンの形状に透明なシリコン等の剥離剤を印刷によって塗工することで剥離層２０ａを積層する（図３（ａ））。
【００３０】
次に、ベース基材１０の剥離層２０ａが積層された面の全面に、粘着剤を塗工することで粘着層３０を積層する（図３（ｂ））。
【００３１】
次に、粘着層３０のベース基材１０とは反対側の面に、カーボンを含有する顔料入りシリコンからなる剥離剤を印刷によって一定の幅をもって帯状に塗工することで剥離層２０ｂを積層する（図３（ｃ））。なお、剥離層２０ｂは、例えば、墨インキ１に対して、ニスが０．５という比率で構成することが考えられる。その場合、例えば、墨インキとして、帝国インキ製の、ＵＶ  ＦＩＬ９１１スミ（配合率１００％）を用い、ニスとして、ＴＯＫＡ製の、ＵＶロールコートニスＰＣ２１（配合率５０％）を用いることが考えられる。
【００３２】
次に、粘着層３０の剥離層２０ｂが積層された面に剥離紙４０を貼着する（図３（ｄ））。
【００３３】
その後、ベース基材１０の剥離層２０ａが積層された面とは反対側の面に、剥離層２０ｂに対向するように地紋を一定の幅をもって帯状に印刷することで地紋印刷層５０を積層する（図３（ｅ））。
【００３４】
以下に、上記のように構成された隠蔽シール１の使用方法について説明する。
【００３５】
図４は、図１に示した隠蔽シール１の使用形態の一例を説明するための図である。図５は、図１に示した隠蔽シール１が図４に示したように使用された場合に通知シート２から剥離されていく状態を説明するための断面図である。
【００３６】
図１に示した隠蔽シール１は、例えば図４（ａ）に示すような通知シート２を被着体として貼着される。隠蔽シール１が貼着される通知シート２には、隠蔽情報表示部となるパスワード表示部２ａが設けられており、隠蔽すべき隠蔽情報となるパスワード２ｂがパスワード表示部２ａに表示されている。通知シート２のパスワード表示部２ａが設けられた面には、通知情報２ｃが表示されている。
【００３７】
このように構成された通知シート２に図１に示した隠蔽シール１を貼着する場合は、剥離紙４０を剥離して粘着層３０を表出させ、図４（ｂ）及び図５（ａ）に示すように、パスワード表示部２ａを覆うように隠蔽シール１を貼着する。その際、隠蔽シール１の剥離層２０ｂがパスワード表示部２ａに対向するように隠蔽シール１を通知シート２に貼着する。すなわち、剥離層２０ｂは、パスワード表示部２ａを覆うような形状を有し、隠蔽シール１が通知シート２に貼着された場合にパスワード表示部２ａに対向する領域に塗工、積層されていることになる。
【００３８】
このように隠蔽シール１が通知シート２に貼着された状態においては、パスワード表示部２ａが隠蔽シール１で覆われており、隠蔽シール１には、青、赤、黒等の任意の色からなる粘着層３０がベース基材１０の全面に積層されているため、パスワード表示部２ａに表示されたパスワード２ｂが外部から視認不可能な状態となる。さらに、パスワード表示部２ａに剥離層２０ｂが対向するように隠蔽シール１が通知シート２に貼着されていることで、剥離層２０ｂに対向してベース基材１０上に積層された地紋印刷層５０がパスワード表示部２ａに重なることになり、これにより、パスワード表示部２ｂに表示されたパスワード２ｂの隠蔽性が向上することになる。また、剥離層２０ｂが、カーボンを含有する顔料入りシリコンからなる剥離剤から構成されていることで、パスワード２ｂがカーボンを含有するインキによって印刷されている場合であっても、隠蔽シール１が上記のように通知シート２に貼着された状態において赤外線を用いてパスワード２ｂが認識されることを回避できる。
【００３９】
この状態から隠蔽シール１を剥離していくと、図５（ｂ）に示すように、剥離層２０ａが積層されていない領域においては、粘着層３０がベース基材１０とともに通知シート２から剥離し、また、剥離層２０ａが積層された領域においては、粘着層３０が剥離層２０ａとの貼着力よりも強い貼着力で通知シート２と貼着されていることで粘着層３０が剥離層２０ａから剥離する。そして、剥離層２０ａから剥離した部分は、その後、粘着層３０が伸縮性を有するものであることで、ベース基材１０とともに通知シート２から剥離し、剥離層２０ａとの積層方向とは直交する方向に破断し、ベース基材１０に積層されたままとなっている部分に引っ張られて剥離層２０ａに対向する領域にはほぼ存在しなくなる。
【００４０】
隠蔽シール１が通知シート２から完全に剥離されると、図５（ｃ）に示すように、粘着層３０は剥離層２０ａが積層されていない領域にしかほぼ存在しなくなるが、剥離層２０ｂが塗工、積層された領域においては、隠蔽シール１がそもそも通知シート２に貼着されていないことから、隠蔽シール１を通知シート２から剥離した際に粘着層３０が剥離層２０ａから剥離することがないため、剥離層２０ａが積層された領域においても粘着層３０が存在することになる。
【００４１】
図６は、図１に示した隠蔽シール１が通知シート２から剥離された状態を示す表面図である。
【００４２】
上記のようにして図１に示した隠蔽シール１が通知シート２から剥離されると、ベース基材１０の通知シート２との貼着面とは反対側から隠蔽シール１を見た場合、剥離層２０ａに対向しない領域においては粘着層３０が存在することで粘着層３０の色がベース基材１０を介して視認される一方、剥離層２０ａに対向する領域においては粘着層３０が存在しなくなったことで粘着層３０の色が視認されなくなることから、図６に示すように、剥離層２０ａによる潜像パターン３が発現することになる。その際、剥離層２０ｂが積層された領域においては、上述したように、剥離層２０ａが積層された領域においても粘着層３０が存在していることにより、剥離層２０ａによる潜像パターン３は発現しない。なお、ベース基材１０の全面または一部に地紋印刷層５０以外に印刷が施された場合であっても、剥離層２０ａに対向する領域においてはその印刷による色が視認される一方、剥離層２０ａに対向しない領域においては、ベース基材１０の印刷色と粘着層３０の色とに応じた色が視認されることになり、剥離層２０ａによる潜像パターン３が発現することになる。例えば、ベース基材１０に赤色で印刷が施され、粘着層３０の色が緑色である場合、赤色と緑色と混合されたことによる黒色の背景内に赤色の潜像パターン３が発現することになる。
【００４３】
その後、このように潜像パターン３が発現した隠蔽シール１を通知シート２に再度貼着したとしても、剥離層２０ａに対向する領域においては粘着層３０が存在しなくなっているため、潜像パターン３が発現したままとなり、隠蔽シール１が通知シート２から不正に剥離された旨を認識することができる。
【００４４】
また、隠蔽シール１が通知シート２に貼着された後に剥離された場合に、粘着層３０のうち剥離層２０ａに対向する領域が、剥離層２０ａから剥離して剥離層２０ａとの積層方向とは直交する方向に破断することにより、隠蔽シール１が通知シート２から剥離された場合に、粘着層３０が全てベース基材１０とともに通知シート２から剥離されることとなり、それにより、隠蔽シール１を通知シート２から剥離した後に、通知シート２に粘着層３０の一部が残存することがない。万が一、粘着層３０のうち剥離層２０ａに対向する領域が剥離層２０ａから剥離して通知シート２に残存したとしても、隠蔽シール１は、通知シート２のうちパスワード表示部２ａには剥離層２０ｂによってそもそも貼着されていない状態となっていたため、パスワード表示部２ａには粘着層３０が残存することはなく、隠蔽シール１を通知シート２から正規に剥離した後に、パスワード表示部２ａに表示されたパスワード２ｂが見難くなってしまうことがない。
【００４５】
さらに、本形態においては、隠蔽シール１が通知シート２に貼着された場合にパスワード表示部２ａに対向する剥離層２０ｂが、上述したように剥離剤を印刷によって塗工することで積層されているため、通知シート２等の被着体の種類に応じて、剥離層２０ｂによって被着体に貼着されない領域の形状を、フィルム等を加工する等といった煩雑な作業を伴うことなく、自在に設定することができる。
【００４６】
（第２の実施の形態）
図７は、本発明の隠蔽シールの第２の実施の形態を示す図であり、（ａ）は表面図、（ｂ）は（ａ）に示したＡ−Ａ’断面図である。図８は、図７に示した隠蔽シール１０１が図２に示した通知シート２に貼着された後に通知シート２から剥離されていく状態を説明するための断面図である。
【００４７】
本形態は図７に示すように、図１及び図２に示したものに対して、地紋印刷層５０の代わりに塗りつぶし層１５０が設けられているとともに、粘着層１３０を構成する粘着剤の材質が異なる隠蔽シール１０１である。本形態における粘着層１３０を構成する粘着剤は、伸縮性を有するものである必要はない。塗りつぶし層１５０は、例えば黒色等の、透視しにくい色のインキを用いた、いわゆるベタ印刷によってベース基材１１０上に積層されている。
【００４８】
このように構成された隠蔽シール１０１を図２に示した通知シート２に貼着する場合は、図１及び図２に示したものと同様に、剥離紙１４０を剥離して粘着層１３０を表出させ、図８（ａ）に示すように、パスワード表示部２ａを覆うように隠蔽シール１０１を貼着する。その際、隠蔽シール１０１の剥離層１２０ｂがパスワード表示部２ａに対向するように隠蔽シール１０１を通知シート２に貼着する。すなわち、本形態の隠蔽シール１０１においても、剥離層１２０ｂは、パスワード表示部２ａを覆うような形状を有し、隠蔽シール１０１が通知シート２に貼着された場合にパスワード表示部２ａに対向する領域に塗工、積層されていることになる。
【００４９】
このように隠蔽シール１０１が通知シート２に貼着された状態においては、パスワード表示部２ａが隠蔽シール１０１で覆われており、隠蔽シール１０１には、青、赤、黒等の任意の色からなる粘着層１３０がベース基材１１０の全面に積層されているため、パスワード表示部２ａに表示されたパスワード２ｂが外部から視認不可能な状態となる。さらに、パスワード表示部２ａに剥離層１２０ｂが対向するように隠蔽シール１０１が通知シート２に貼着されていることで、剥離層１２０ｂに対向してベース基材１１０上に積層された塗りつぶし層１５０がパスワード表示部２ａに重なることになり、これにより、パスワード表示部２ｂに表示されたパスワード２ｂの隠蔽性が向上することになる。また、剥離層１２０ｂが、カーボンを含有する顔料入りシリコンからなる剥離剤から構成されていることで、パスワード２ｂがカーボンを含有するインキによって印刷されている場合であっても、隠蔽シール１０１が上記のように通知シート２に貼着された状態において赤外線を用いてパスワード２ｂが認識されることを回避できる。
【００５０】
この状態から隠蔽シール１０１を剥離していくと、図８（ｂ）に示すように、剥離層１２０ａが積層されていない領域においては、粘着層１３０がベース基材１１０とともに通知シート２から剥離し、また、剥離層１２０ａが積層された領域においては、粘着層１３０が剥離層１２０ａとの貼着力よりも強い貼着力で通知シート２と貼着されていることで粘着層１３０が剥離層１２０ａから剥離する。そして、粘着層１３０の剥離層１２０ａから剥離した部分が通知シート２に残存することで、剥離層１２０ａに対向する領域には粘着層１３０が存在しなくなる。
【００５１】
隠蔽シール１０１が通知シート２から完全に剥離されると、図８（ｃ）に示すように、粘着層１３０は剥離層１２０ａが積層されていない領域にしかほぼ存在しなくなるが、剥離層１２０ｂが塗工、積層された領域においては、隠蔽シール１０１がそもそも通知シート２に貼着されていないことから、隠蔽シール１０１を通知シート２から剥離した際に粘着層１３０が剥離層１２０ａから剥離することがないため、剥離層１２０ａが積層された領域においても粘着層１３０が存在することになる。
【００５２】
このように通知シート２から剥離された隠蔽シール１０１においても、図１及び図２に示したものと同様に、ベース基材１１０の通知シート２との貼着面とは反対側から見た場合、剥離層１２０ａに対向しない領域においては粘着層１３０が存在することで粘着層１３０の色がベース基材１１０介して視認される一方、剥離層１２０ａに対向する領域においては剥離層１２０ｂが積層された領域以外において粘着層１３０が存在しなくなったことで粘着層１３０の色が視認されなくなることから、剥離層１２０ａによる潜像パターンが発現することになる。
【００５３】
その後、潜像パターンが発現した隠蔽シール１０１を通知シート２に再度貼着したとしても、剥離層１２０ａが積層された領域と粘着層１３０が通知シート２に残存した領域との位置合わせを行うことが困難であることで、発現した潜像パターンを完全に見えなくすることができず、隠蔽シール１０１が通知シート２から不正に剥離された旨を認識することができる。
【００５４】
また、隠蔽シール１０１が通知シート２に貼着された後に剥離された場合に、粘着層１３０のうち剥離層１２０ａに対向する領域が剥離層１２０ａから剥離して通知シート２に残存することになるが、隠蔽シール１０１は、通知シート２のうちパスワード表示部２ａには剥離層１２０ｂによってそもそも貼着されていない状態となっていたため、パスワード表示部２ａには粘着層１３０が残存することはなく、隠蔽シール１０１を通知シート２から正規に剥離した後に、パスワード表示部２ａに表示されたパスワード２ｂが見難くなってしまうことがない。
【００５５】
さらに、本形態においても、隠蔽シール１０１が通知シート２に貼着された場合にパスワード表示部２ａに対向する剥離層１２０ｂが、剥離剤を印刷によって塗工することで積層されているため、通知シート２等の被着体の種類に応じて、剥離層１２０ｂによって被着体に貼着されない領域の形状を、フィルム等を加工する等といった煩雑な作業を伴うことなく、自在に設定することができる。
【００５６】
なお、上述した実施の形態においては、剥離層２０ｂ，１２０ｂが、カーボンを含有する顔料入りシリコンからなる剥離剤から構成されたものを例に挙げて説明したが、剥離層２０ｂ，１２０ｂとして、カーボンを含有しない材料から構成されたものを用いてもよい。その場合、パスワード２ｂがカーボンを含有するインキによって印刷されていれば、隠蔽シール１，１０１が上記のように通知シート２に貼着された状態では赤外線を用いてパスワード２ｂを認識し、隠蔽シール１，１０１が通知シート２から剥離された状態では目視によってパスワード２ｂを認識するという運用形態を採用することができる。なお、そのような構成とするためには、地紋印刷層５０や塗りつぶし層１５０を構成するインキもカーボンを含有しない材料から構成する必要がある。また、パスワード２ｂがカーボンを含有しない赤色や青色等の通常のカラーインキによって印刷されている場合は、そもそも隠蔽シール１が通知シート２に貼着された状態において赤外線を用いてパスワード２ｂを認識することができないため、剥離層２０ｂ，１２０ｂとして、カーボンを含有しない材料から構成されたものを用いることが考えられる。
【００５７】
また、上述した実施の形態においては、ベース基材１０，１１０上に剥離層２０ｂ，１２０ｂに対向して隠蔽性向上層として地紋印刷層５０や塗りつぶし層１５０が積層されているが、隠蔽性向上層としては、その他に白色の印刷層上に地紋を印刷したもの等、周知のものを適用することができる。また、隠蔽シール１，１０１が通知シート２に貼着された場合に粘着層３０や剥離層２０ｂ，１２０ｂの色によってパスワード２ｂが十分に視認不可能となれば、隠蔽性向上層をあえて設ける必要はない。
【符号の説明】
【００５８】
１，１０１    隠蔽シール
２    通知シート
２ａ    パスワード表示部
２ｂ    パスワード
２ｃ    通知情報
３    潜像パターン
１０，１１０ベース基材
２０ａ，２０ｂ，１２０ａ，１２０ｂ    剥離層
３０，１３０    粘着層
４０，１４０    剥離紙
５０    地紋印刷層
１６０    塗りつぶし層
【図１】
2019184966.tif 000003
【図２】
2019184966.tif 000004
【図３】
2019184966.tif 000005
【図４】
2019184966.tif 000006
【図５】
2019184966.tif 000007
【図６】
2019184966.tif 000008
【図７】
2019184966.tif 000009
【図８】
2019184966.tif 000010